【事件の表示】
　特願２０００−３６６７５４「極低温ハイブリッド型液化装置」拒絶査定不服審判事件〔平成１３年　８月　３日出願公開、特開２００１−２０８４３７〕について、次のとおり審決する。
【結　論】
　本件審判の請求は、成り立たない。
【理　由】
第１　手続の経緯
　本件審判に係る出願は，平成１２年１２月１日の出願（パリ条約による優先権主張：１９９９年１２月３日　米国）であって，平成１６年１１月１１日付け（発送日：同月２４日）で拒絶理由が通知され，この拒絶理由の通知で指定された期間内である同年１２月２７日付けで手続補正されたが，平成１７年９月１３日付け（発送日：同月２０日）で拒絶査定された。
　これに対して同年１２月１９日に拒絶査定不服審判の請求がされるとともに，平成１８年１月１８日付けで手続補正されたものである。
　
第２　平成１８年１月１８日付け手続補正の却下の決定
［補正却下の決定の結論］
　平成１８年１月１８日付けの手続補正（以下，「本件補正」という。）を却下する。
　
［理由］
（１）補正後の特許請求の範囲
　本件補正により補正された特許請求の範囲は，平成１８年１月１８日付け手続補正書に記載された以下のとおりである。
　
【特許請求の範囲】
　　【請求項１】極低温条件下の製品流体を生成するための方法であって，
　（Ａ）少なくとも１つの大気圧下のガスを含み且つ可変負荷冷却剤である多成分冷却剤流体を圧縮し，該圧縮した多成分冷却剤流体を冷却することにより，冷却された多成分冷却剤流体を生成し，該冷却された多成分冷却剤流体を膨張させることにより，少なくとも部分的に凝縮された多成分冷却剤流体を生じさせること，
　（Ｂ）パルス管ガスを圧縮することにより，高温の圧縮されたパルス管ガスを生じさせ，生じた高温の圧縮されたパルス管ガスを，前記少なくとも部分的に凝縮された多成分冷却剤流体と間接熱交換させて冷却し，該間接熱交換により，冷却され圧縮されたパルス管ガスと，加温された多成分冷却剤流体とを生じさせ，前記冷却され圧縮されたパルス管ガスを，低温の伝熱媒体と直接接触させることにより，一段と冷却された低温のパルス管ガスと，加温された伝熱媒体とを生じさせること，
　（Ｃ）前記一段と冷却された低温のパルス管ガスを膨張させて極低温のパルス管ガスを生じさせると共に，パルス管作用流体を圧縮及び加熱するガス圧力波を生じさせ，該ガス圧力波により加熱されたパルス管作用流体を，前記加温された多成分冷却剤流体と間接熱交換させることにより，前記加温された冷却剤流体を一段と加温させること，
　（Ｄ）前記極低温のパルス管ガスを，製品流体との間接熱交換状況下に送ることにより極低温条件下の製品流体を生じさせ，該極低温条件下の製品流体を前記加温された伝熱媒体との直接接触状況下に送ることにより前記低温の伝熱媒体を生じさせること，
　を含み，
　前記多成分冷却剤流体が，パルス管システムにより発生した熱が非パルス管システム中に排出される規定様式下にパルス管システムと一体化された非パルス管システム内を流動するようにした方法。
　　【請求項２】膨張された多成分冷却剤流体が完全に凝縮される請求項１の方法。
　　【請求項３】極低温条件下の製品流体を生成するための装置であって，
　（Ａ）圧縮器（３１１）と，多成分冷却剤流体熱交換器（３０１）と，圧縮器からの，少なくとも１つの大気圧下のガスを含み且つ可変負荷冷却剤である多成分冷却剤流体を多成分冷却剤流体熱交換器に送るための手段（３１４）と，膨張装置（３１６）と，多成分冷却剤流体熱交換器からの流体を膨張装置に送るための手段（３１５）と，
　（Ｂ）再生器（２５２）にして，再生器熱交換器（２５８）と，伝熱媒体を収納する再生器胴部と，を含む再生器と，再生器内における揺動流れのための圧縮ガスを発生させるための手段と，膨張装置からの流体を再生器熱交換器に送るための手段と，
　（Ｃ）パルス管熱交換器及びパルス管胴部を含むパルス管（２５３）と，再生器熱交換器からの流体をパルス管熱交換器に送るための手段と，パルス管熱交換器からの流体を多成分冷却剤流体熱交換器に送るための手段と，
　（Ｄ）再生器胴部とパルス管胴部との間においてガスを送るための，製品流体熱交換器を含む送り手段（２５５）と，製品流体を該製品流体熱交換器に送るための手段（１２）と，製品流体熱交換器から極低温条件下の製品流体を抜き出すための手段（１３）と，
　を含み，
　前記多成分冷却剤流体が，パルス管システムにより発生した熱が非パルス管システム中に排出される規定様式下にパルス管システムと一体化された非パルス管システムを流動する装置。
　　【請求項４】膨張装置が弁である請求項３の装置。
　　【請求項５】再生器内部の揺動流れのための圧縮ガスを発生させるための手段がピストンを含んでいる請求項３の装置。
　　【請求項６】再生器内部の揺動流れのための圧縮ガスを発生させるための手段が熱音響ドライバを含んでいる請求項３の装置。
　　【請求項７】非パルス管システムが，磁化されると高温化し，消磁されると低温化する床材料を含む能動磁気再生器（３０２）を含むようにした請求項１の方法。
　　【請求項８】非パルス管システムが，磁化されると高温化し，消磁されると低温化する床材料を含む能動磁気再生器（３０２）を含む請求項３の装置。
　
　本件補正は，補正前の特許請求の範囲の請求項１及び３における「製品流体」について「液化ネオン，液化水素あるいは液化ヘリウム」なる発明特定事項を削除するとともに，補正前の特許請求の範囲に記載されていない請求項７及び８を増項補正するものを含む補正であって，当該補正は，特許請求の範囲を限定的に減縮することを目的とするものとはいえず，また，平成１８年改正前特許法第１７条の２第４項各号に掲げる目的のいずれにも該当しない。
　したがって，本件補正は，平成１８年改正前特許法第１７条の２第４項の規定に適合しないから，同法第１５９条第１項で読み替えて準用する同法第５３条第１項の規定より，却下すべきものである。
　
第３　本願発明について
　
１．本願発明
　平成１８年１月１８日付け手続補正は却下されたことから，この出願の特許請求の範囲の請求項１に係る発明は，平成１６年１２月２７日付けで補正された特許請求の範囲の請求項１に記載された，次のとおりのものである。
　
【請求項１】極低温条件下に液化ネオン，液化水素あるいは液化ヘリウムのような製品流体を生成するための方法であって，
　（Ａ）冷却剤流体を冷却し，冷却された冷却剤流体を生じさせること，
　（Ｂ）パルス管ガスを圧縮して高温の圧縮されたパルス管ガスを生じさせ，生じた高温の圧縮されたパルス管ガスを，冷却された冷却剤流体と間接熱交換させて冷却し，該間接熱交換により，冷却され圧縮されたパルス管ガスと，加温された冷却剤流体とを生じさせ，前記冷却され圧縮されたパルス管ガスを，低温の伝熱媒体と直接接触させることにより，一段と冷却された低温のパルス管ガスと，加温された伝熱媒体とを生じさせること，
　（Ｃ）前記一段と冷却された低温のパルス管ガスを膨張させて極低温のパルス管ガスを生じさせると共に，パルス管内部のガスを圧縮及び加熱するガス圧力波を生じさせ，該ガス圧力波により加熱された前記パルス管内部のガスを，前記加温された冷却剤流体と間接熱交換させることにより，該パルス管内部のガスを冷却させ，前記加温された冷却剤流体を一段と加温させること，
　（Ｄ）前記極低温のパルス管ガスを，製品流体との間接熱交換状況下に送ることにより極低温条件下の製品流体を生じさせ，製品流体と間接熱交換させたパルス管ガスを，前記加温された伝熱媒体との直接接触状況下に送ることにより低温の伝熱媒体を生じさせること，
　を含む方法。
　
２．引用例に記載された発明
　この出願の出願前に日本国内に頒布された刊行物であって，拒絶査定の理由で引用された特開平３−１９４３６４号公報（以下，「引用例」という。）には，次の事項が記載されている。
　
（ア）「圧縮機を順次，低温端部，パルスチューブ及び貯蔵容器に連通し，この貯蔵容器と前記圧縮機との間で，ガス状冷媒を往復移動させてなる予冷系冷凍機と，圧縮機を順次，放熱用熱交換器，パルスチューブ，高温端部，オリフィス弁及び貯蔵容器に連通し，この貯蔵容器と前記圧縮機との間で，ガス状冷媒を往復移動させてなるオリフィスパルスチューブ冷凍機と，を備え，前記オリフィスパルスチューブ冷凍機の高温端部及び放熱用熱交換機を，前記予冷系冷凍機の低温端部により冷却してなることを特徴とする極低温冷凍装置。」（第１頁左下欄第５行〜第１８行）
　
（イ）「本発明は，予冷系冷凍機を備え，該予冷系冷凍機によって，オリフィスパルスチューブ冷凍機の高温端部及び放熱用熱交換器を冷却してなる極低温冷凍装置に関する。」（第１頁右下欄第７行〜第１０行）
　
（ウ）「図において（１）は予冷系冷凍機で，パルスチューブ冷凍機にて形成されている。」（第２頁右上欄第７行〜第８行）
　
（エ）「前記予冷系冷凍機（１）では，圧縮機（２）のピストン（４）で圧縮されたガス状冷媒は，放熱用熱交換器（５）及び蓄冷器（６）を通る間に冷却されパルスチューブ（９）に流入しこのパルスチューブ（９）の残留冷媒を圧縮してその圧縮熱を高温端部（１０）で放熱し，オリフィス弁（１１）を通る間に断熱膨張により冷却して貯蔵容器（１２）に流入し，その後ピストン（４）が引き上げられた場合に，ガス状冷媒は復帰移動してパルスチューブ（９）内で断熱膨張し更に低温化して低温端部（８）及び蓄冷器（６）を冷却し圧縮機（２）に戻り，斯る往復移動サイクルを繰り返すことにより，低温端部（８）に極低温が得られる。」（第２頁右上欄第２０行〜左下欄第１３行）
　
（オ）「（１３）は予冷系冷凍機（１）に対して独立したオリフィスパルスチューブ冷凍機である。（１４）はオリフィスパルスチューブ冷凍機（１３）の一部を構成する圧縮機で，シリンダー（１５）にピストン（１６）を収容している。（１７）は圧縮機（１４）に連通した放熱用熱交換器，（１８）は放熱用熱交換器（１７）に連通した蓄冷器で，蓄冷材（１９）を収納している。（２０）は蓄冷器（１８）に連通した低温端部で，ステンレス鋼製のパルスチューブ（２１）の冷媒導入側に形成される。（２２）はパルスチューブ（２１）の高温端部で，パルスチューブ（２１）内で発生した圧縮熱をこの高温端部（２２）から放熱する。（２３）は高温端部（２２）に連通したオリフィス弁，（２４）はオリフィス弁（２３）に連通した貯蔵容器である。このオリフィスパルスチューブ冷凍機（１３）では，前記予冷系冷凍機（１）と同様の原理によって低温端部（２０）に極低温が得られる。而して，前記オリフィスパルスチューブ冷凍機（１３）の高温端部（２２）及び放熱用熱交換機（１７）は，前記予冷系冷凍機（１）の低温端部（８）にて冷却してなる。前記高温端部（２２）及び前記放熱用熱交換器（１７）については，前記低温端部（８）に対して直接，接触して熱交換するものの他に，適当な媒体を介して間接的に熱交換するもの等も実施される。」（第２頁左下欄第１４行〜右下欄第１７行）
　
（カ）「蓄冷材（１９）は，蓄冷材（１８）の６０Ｋ以下の温度帯に対応して比熱の高くなる鉛素材で形成してある。」（第３頁左上欄第３行〜第５行）
　
（キ）「前記極低温冷凍装置では，そのオリフィスパルスチューブ冷凍機（１３）はその高温端部（２２）及び放熱用熱交換器（１７）が予冷系冷凍機（１）によって強力に冷却されるため従来の水冷によるものに比較しこのオリフィスパルスチューブ冷凍機（１３）の冷凍能力が高まり低温端部（２０）の最低到達温度が引き下げられるようになる。」（第３頁左上欄第６行〜第１２行）
　
（ク）「更に前記極低温冷凍装置では，予冷系冷凍機（１）は，パルスチューブ冷凍機で形成されるため，駆動部が省略され駆動部による振動や摩耗が防止されると共に冷凍能力も大きいものになり，従って，極低温冷凍装置の信頼性が高まり低温端部（２０）の最低到達温度が１００K〜２０K（−１７３℃〜−２５３℃）に引き下げられるようになる。」（第３頁左上欄第１３行〜第２０行）
　
　以上の記載事項及び図面の記載から，上記引用例には，次の発明（以下，「引用発明」という。）が記載されているものと認める。
　
「（Ａ）予冷系冷凍機のガス状冷媒を冷却し，冷却された予冷系冷凍機のガス状冷媒を生じさせること，
（Ｂ）オリフィスパルスチューブ冷凍機のガス状冷媒を圧縮して高温の圧縮されたオリフィスパルスチューブ冷凍機のガス状冷媒を生じさせ，生じた高温の圧縮されたオリフィスパルスチューブ冷凍機のガス状冷媒を，冷却された予冷系冷凍機のガス状冷媒と間接熱交換させて冷却し，該間接熱交換により，冷却され圧縮されたオリフィスパルスチューブ冷凍機のガス状冷媒と，加温された予冷系冷凍機のガス状冷媒とを生じさせ，前記冷却され圧縮されたオリフィスパルスチューブ冷凍機のガス状冷媒を，低温の蓄冷材と直接接触させることにより，一段と冷却された低温のオリフィスパルスチューブ冷凍機のガス状冷媒と，加温された蓄熱材とを生じさせること，
（Ｃ）前記一段と冷却された低温のオリフィスパルスチューブ冷凍機のガス状冷媒を膨張させて極低温のオリフィスパルスチューブ冷凍機のガス状冷媒を生じさせると共に，パルスチューブ内部の残留冷媒を圧縮及び加熱するガス圧力波を生じさせ，該ガス圧力波により加熱された前記パルスチューブ内の残留冷媒を，予冷系冷凍機のガス状冷媒と間接熱交換させることにより，該パルスチューブ内の残留冷媒を冷却させ，予冷系冷凍機のガス状冷媒を加温させること，
（Ｄ）前記極低温のオリフィスパルスチューブ冷凍機のガス状冷媒を，オリフィスパルスチューブ冷凍機の低温端部に送ることにより極低温条件下を生じさせ，オリフィスパルスチューブ冷凍機の低温端部で間接熱交換させたオリフィスパルスチューブ冷凍機のガス状冷媒を，前記加温させた蓄冷材と直接接触状況下に送ることにより低温の蓄冷材を生じさせること，を含む方法。」
　
３．対比
　本願発明と引用発明とを対比すると，引用発明における「予冷系冷凍機のガス状冷媒」は，本願発明における「冷却剤流体」に相当し，以下，それぞれ「オリフィスパルスチューブ冷凍機のガス状冷媒」が「パルス管ガス」，「蓄冷材」が「伝熱媒体」，「パルスチューブ内の残留冷媒」が「パルス管内部のガス」に相当する。
　
　また，引用発明における「極低温のオリフィスパルスチューブ冷凍機のガス状冷媒を，オリフィスパルスチューブ冷凍機の低温端部に送ることにより」とは，低温端部において，直接又は間接熱交換状況とすることは自明であるから，「極低温のオリフィスパルスチューブ冷凍機のガス状冷媒を，間接熱交換状況下に送ること」といえるものであって，本願発明における「極低温のパルス管ガスを，間接熱交換状況下に送ること」に相当する。
　
　してみると，本願発明と引用発明とは，
　
「（Ａ）冷却剤流体を冷却し，冷却された冷却剤流体を生じさせること，
（Ｂ）パルス管ガスを圧縮して高温の圧縮されたパルス管ガスを生じさせ，生じた高温の圧縮されたパルス管ガスを，冷却された冷却剤流体と間接熱交換させて冷却し，該間接熱交換により，冷却され圧縮されたパルス管ガスと，加温された冷却剤流体とを生じさせ，前記冷却され圧縮されたパルス管ガスを，低温の伝熱媒体と直接接触させることにより，一段と冷却された低温のパルス管ガスと，加温された伝熱媒体とを生じさせること，
（Ｃ）前記一段と冷却された低温のパルス管ガスを膨張させて極低温のパルス管ガスを生じさせると共に，パルス管内部のガスを圧縮及び加熱するガス圧力波を生じさせ，該ガス圧力波により加熱された前記パルス管内部のガスを，冷却剤流体と間接熱交換させることにより，該パルス管内部のガスを冷却させ，冷却剤流体を加温させること，
（Ｄ）前記極低温のパルス管ガスを，間接熱交換状況下に送ることにより極低温条件下を生じさせ，間接熱交換させたパルス管ガスを，前記加温された伝熱媒体との直接接触状況下に送ることにより低温の伝熱媒体を生じさせること，
　を含む方法。」
　
　である点で一致し，次の点で相違する。
　
・本願発明は，「極低温条件下に液化ネオン，液化水素あるいは液化ヘリウムのような製品流体を生成するための方法」であって，極低温のパルス管ガスを，「製品流体」との間接熱交換状況下に送ることにより極低温条件下の「製品流体」を生じさせ，「製品流体」と間接熱交換させたパルス管ガスを，加温された伝熱媒体との直接接触状況下に送るのに対して，引用発明は，極低温条件下に液化ネオン，液化水素あるいは液化ヘリウムのような製品流体を生成するとの特定はなく，極低温のパルス管ガスを，「いかなる対象物」と間接熱交換状況下に送り，「いかなる対象物」と間接熱交換させたパルス管ガスを，加温された伝熱媒体との直接接触状況下に送るのか，特定されていない点（以下，「相違点１」という。）
　
・本願発明は，ガス圧力波により加熱されたパルス管内部のガスを，「加温された」冷却剤流体と間接熱交換することにより，該パルス管内部のガスを冷却させ，「加温された」冷却剤流体を「一段と」加温させるのに対して，引用発明は，ガス圧力波により加熱されたパルス管内部のガスを，冷却剤流体と間接熱交換する際に，冷却剤流体が「加温された」ものか不明であり，「加温された」冷却材流体を「一段と」加温するものか不明である点（以下，「相違点２」という。）。
　
４．当審の判断
　上記相違点について検討する。
　
　相違点１について検討すると，引用例の記載事項（カ），（ク）からみて，引用発明の極低温のパルス管ガスは，少なくとも６０Ｋ以下の温度に冷却することを想定しているものと認められる。
　そして，６０Ｋ以下というような極低温が要求される冷凍機によって，「極低温条件下に液化ネオン，液化水素あるいは液化ヘリウムのような製品流体を生成する」ことは，従来周知の用途であって，引用発明に接した当業者が，引用発明を，従来周知の用途である「極低温条件下に液化ネオン，液化水素あるいは液化ヘリウムのような製品流体を生成する」方法に適用しようとすることは，容易に想到し得たことというべきである。
　また，その際に，極低温のパルス管ガスを，従来周知の対象物である「製品流体」との間接熱交換状況下に送ることにより極低温条件下の「製品流体」を生じさせ，「製品流体」と間接熱交換させたパルス管ガスを，加温された伝熱媒体との直接接触状況下に送るよう構成することは，当業者が引用発明を上記用途に適用する際，極低温のパルスガス管と製品流体との間で熱交換を行うために採用する当然の構成というべきであり，発明の具現化にあたって適宜なし得た設計変更というべきである。
　
　ついで，相違点２について検討すると，パルス管を用いた冷凍機におけるパルス管及び再生器の高温側端部を予冷系冷凍機により予冷却する際，予冷系冷凍機で冷却された冷媒を再生器及びパルス管の順で熱交換するよう配管することは従来周知の技術手段にすぎない（例えば，特開昭６４−９０９６４号公報，”Advances in Cryogenic Engineering  Volume18” Proceedings of the 1972 Cryogenic Engineering Conference National Bureau of Standards Boulder,Colorado（米），1972，p467−p475を参照。）。
　
　してみると，引用発明に接した当業者が，パルス管ガスを圧縮して高温の圧縮されたパルス管ガスを生じさせ，生じた高温の圧縮されたパルス管ガスを，冷却された冷却剤流体と間接熱交換させて冷却し，該間接熱交換により，冷却され圧縮されたパルス管ガスと，加温された冷却剤流体とを生じさせた後に，ガス圧力波により加熱されたパルス管内部のガスを，「加温された」冷却剤流体と間接熱交換することにより，該パルス管内部のガスを冷却させ，「加温された」冷却剤流体を「一段と」加温させるよう構成することは，単なる周知技術の付加にすぎず，当業者による格別の創意工夫があったということはできない。
　
　以上のことから，本願発明は，引用発明に基づいて，当業者が容易に発明をすることができたものというべきである。
　
５．むすび
　したがって，本願発明は，引用発明に基づいて，当業者が容易に発明をすることができたものであるから，特許法第２９条第２項の規定により特許を受けることができない。
　よって，結論のとおり審決する。